(57)【要約】【課題】ガイドレールに対する給油量の調節の精度の持続性を向上させること。【解決手段】潤滑油31に対する含浸性を有し、ガイドレール5に潤滑油31を塗布する塗布部材33と、潤滑油31を毛細管現象により吸い上げて塗布部材33に供給する吸上げ部材34と、この吸上げ部材34から塗布部材33に対する給油量を調節する給油量調節機構とを備え、給油量調節機構は、塗布部材33側から垂れ下がった垂下部34a1〜34a8と、予め設定された温度以上の状態において複数の垂下部34a1〜34a8のうちの一部の垂下部34a1，34a2，34a7，34a8を潤滑油の上方に持ち上げる形状を成し、予め設定された温度よりも低い状態において一部の垂下部34a1，34a2，34a7，34a8が重力により潤滑油31に浸る位置に移動することを許容する形状を成すバイメタル部材41〜44とを備える。【選択図】図２
2015189526.tif 000002
【特許請求の範囲】
【請求項１】
潤滑油を貯留するケースと、潤滑油に対する含浸性を有し、潤滑油よりも高く位置する前記ケースの個所に配置され、エレベータのガイドレールに潤滑油を塗布する塗布部材と、一端が前記ケース内の前記潤滑油に浸され、他端が前記塗布部材と接触して設けられ、前記潤滑油を毛細管現象により吸い上げて前記塗布部材に供給するシート状の吸上げ部材と、前記吸上げ部材から前記塗布部材に対する給油量を調節する給油量調節機構とを備えるエレベータのガイドレール用給油装置において、
前記給油量調節機構は、
前記吸上げ部材の前記一端を含み、前記塗布部材側から垂れ下がった複数の垂下部と、
予め設定された温度以上の状態において前記複数の垂下部のうちの一部の垂下部を潤滑油の上方に持ち上げる形状を成し、前記予め設定された温度よりも低い状態において前記一部の垂下部が重力により潤滑油に浸る位置に移動することを許容する形状を成すバイメタル部材とを備える
ことを特徴とするエレベータのガイドレール用給油装置。
【請求項２】
請求項１に記載のエレベータのガイドレール用給油装置において、
前記バイメタル部材として、互いに異なる温度で変形する複数種類のバイメタル部材を備え、
前記一部の垂下部は複数であって、これらの垂下部のそれぞれが前記複数種類のバイメタル部材のいずれか１種類によって持ち上げられる
ことを特徴とするエレベータのガイドレール用給油装置。
【発明の詳細な説明】
【技術分野】
【０００１】
本発明は、乗かごのガイドレールに対する潤滑油の供給、カウンタウェイトのガイドレールに対する潤滑油の供給に用いられるエレベータのガイドレール用給油装置であって、特に、気温の変化に応じてガイドレールに対する給油量を調節するエレベータのガイドレール用給油装置に関する。
【背景技術】
【０００２】
エレベータの昇降路内には、ガイドレールが上下方向に延びて設けられている。乗かご及びカウンタウェイトから成る昇降体には、ガイドレールに対して摺接して位置するガイドシューが設けられている。つまり、昇降体の昇降に伴い、ガイドレールに対しガイドシューが摺動することによって、昇降体の昇降が案内される。ガイドレールに対してガイドシューを円滑に摺動させるために、ガイドレールには潤滑油を供給することが行われる。
【０００３】
ガイドレールに潤滑油を供給する装置としては、例えば特許文献１に開示されたエレベータのガイドレール用給油装置がある。このエレベータのガイドレール用給油装置は、油（潤滑油）が入れられた油槽部と、ガイドレールに油を塗布することで供給する給油部と、フェルト等の含侵性の部材であり、油槽部の油を毛細管作用により給油部に運ぶ給油部材とを備える。
【０００４】
給油部材には、給油量可変機構が取付けられている。この給油量可変機構は給油部材を挟む２枚の給油量絞りプレートと、板状バイメタルと、２枚の給油量絞りプレートの一方との間で板状バイメタルを挟むプレートと、プレートおよび板状バイメタルを保持するボルト・ナットと、ボルトが挿し通された状態で２枚の給油量絞りプレートの一方を他方から離れる方向に付勢する圧縮ばねとを備える。板状バイメタルは、熱膨張係数の異なる２種類の金属板が張り合わされたもので、夏場（高温となる季節）は圧縮ばねの弾性力に抗して湾曲し、冬場（低温となる季節）は平らになる。
【０００５】
つまり、夏場は、板状バイメタルが湾曲することで２枚の給油量絞りプレートの間隔が狭まり、これによって給油部材の厚さが小さくなり、この結果、ガイドレールに対する給油量が過剰になることが抑制される。また、冬場は、板状バイメタルが平らになることで２枚の給油量絞りプレートの間隔は夏場に比べて広くなり、これによって給油部材の厚さが増し、この結果、夏季よりも潤滑油の粘度が高い冬季においてもガイドレールに必要な給油量が確保される。
【先行技術文献】
【特許文献】
【０００６】
【特許文献１】特開２０００−１３６０７７号公報
【発明の概要】
【発明が解決しようとする課題】
【０００７】
特許文献１に開示されたエレベータのガイドレール用給油装置において、給油量可変機構は、給油部材を圧縮して変形させることで、ガイドレールに対する給油量が過剰になることを抑えるものである。このため、給油部材は、圧縮された状態から解放された後、原型に戻らず、この結果、ガイドレールに対する給油量の調節の精度が低下してしまう虞がある。
【０００８】
本発明は前述の事情を考慮してなされたものであり、その目的は、ガイドレールに対する給油量の調節の精度の持続性を向上させることができるエレベータのガイドレール用給油装置を提供することにある。
【課題を解決するための手段】
【０００９】
前述の目的を達成するために、本発明に係るエレベータのガイドレール用給油装置は、潤滑油を貯留するケースと、潤滑油に対する含浸性を有し、潤滑油よりも高く位置する前記ケースの個所に配置され、エレベータのガイドレールに潤滑油を塗布する塗布部材と、一端が前記ケース内の前記潤滑油に浸され、他端が前記塗布部材と接触して設けられ、前記潤滑油を毛細管現象により吸い上げて前記塗布部材に供給するシート状の吸上げ部材と、前記吸上げ部材から前記塗布部材に対する給油量を調節する給油量調節機構とを備えるエレベータのガイドレール用給油装置において、前記給油量調節機構は、前記吸上げ部材の前記一端を含み、前記塗布部材側から垂れ下がった複数の垂下部と、予め設定された温度以上の状態において前記複数の垂下部のうちの一部の垂下部を潤滑油の上方に持ち上げる形状を成し、前記予め設定された温度よりも低い状態において前記一部の垂下部が重力により潤滑油に浸る位置に移動することを許容する形状を成すバイメタル部材とを備えることを特徴とする。
【発明の効果】
【００１０】
本発明に係るエレベータのガイドレール用給油装置は、吸上げ部材の一部の垂下部をバイメタル部材により潤滑油の上方に持ち上げ、潤滑油の上方に持ち上げられた一部の垂下部を重力を利用して潤滑油に浸る状態に戻す。これにより、本発明に係るエレベータのガイドレール用給油装置は、吸上げ部材に復元不能な過度な変形を強いることなく、ガイドレールに対する給油量を調節することができ、この結果、ガイドレールに対する給油量の調節の精度の持続性を向上させることができる。
【図面の簡単な説明】
【００１１】
【図１】本発明の一実施形態に係るエレベータのガイドレール用給油装置が適用されるエレベータの一例の概略図である。
【図２】本発明の一実施形態に係るエレベータのガイドレール用給油装置の上面図である。
【図３】図２のIII−III断面図である。
【図４】図３のIV−IV断面図である。
【図５】吸上げ部材の一部の垂下部がバイメタル部材により潤滑油の上方に持ち上げられた状態を示す図であって、図３に対応する断面図である。
【図６】図５に示した状態の図４に対応する断面図である。
【発明を実施するための形態】
【００１２】
本発明の一実施形態に係るエレベータのガイドレール用給油装置が適用されるエレベータについて図１を用いて説明する。
【００１３】
本発明の一実施形態に係るエレベータのガイドレール用給油装置は、例えば図１に示すエレベータ１に適用される。エレベータ１は、昇降路２と、この昇降路２内に配置される乗かご１０及びカウンタウェイト２０と、これら乗かご１０とカウンタウェイト２０を連結する複数のワイヤーロープ３と、これらのワイヤーロープ３を巻き上げる巻上機４と、昇降路２の壁面に上下方向に延びて設けられた１対の乗かご用ガイドレール５及び１対のカウンタウェイト用ガイドレール６とを備える。
【００１４】
乗かご１０の上端部及び下端部のそれぞれには、乗かご用ガイドレール５に対して摺動する乗かご用ガイドシュー１１，１２のそれぞれが設けられている。カウンタウェイト２０の上端部及び下端部のそれぞれには、カウンタウェイト用ガイドレール６に対して摺動するカウンタウェイト用ガイドシュー２１，２２のそれぞれが設けられている。つまり、乗かご１０の昇降に伴い、乗かご用ガイドレール５に対し乗かご用ガイドシュー１１，１２が摺動することによって、乗かご１０の昇降が案内され、カウンタウェイト２０の昇降に伴い、カウンタウェイト用ガイドレール６に対しカウンタウェイト用ガイドシュー２１，２２が摺動することによって、カウンタウェイト２０の昇降が案内される。
【００１５】
本発明の一実施形態に係るエレベータのガイドレール用給油装置について図２〜図６を用いて説明する。
【００１６】
本実施形態に係るエレベータのガイドレール用給油装置は、図２〜図６示すガイドレール用給油装置３０である。このガイドレール用給油装置３０は、乗かご１０またはカウンタウェイト２０に設けられたガイドシュー（乗かご用ガイドシュー１１，１２またはカウンタウェイト用ガイドシュー２１，２２）の摺動対象であるガイドレール（乗かご用ガイドレール５またはカウンタウェイト用ガイドレール６）に対して潤滑油を供給するものである。以下では、本実施形態に係るガイドレール給油装置３０が乗かご用ガイドレール５に対して潤滑油を供給するものとして用いられる場合を例に挙げて説明し、カウンタウェイト用ガイドレール６に対して潤滑油を給油するものとして用いられる場合については、乗かご用ガイドレール５に対して潤滑油を供給するものとして用いられる場合と同様なので説明を省略する。
【００１７】
本実施形態に係るエレベータのガイドレール用給油装置３０は乗かご用ガイドシュー１１に取り付けられるものであり、ケース本体３２ａと蓋３２ｂとから構成され、ケース本体３２ａに潤滑油３１を貯留するケース３２と、潤滑油３１に対する含浸性を有し、ケース３２内の潤滑油３１よりも高く位置するケース３２の個所に設けられ、乗かご用ガイドレール５に潤滑油を塗布する塗布部材３３と、一端がケース３２内の潤滑油３１に浸され、他端が塗布部材３３と接触して設けられ、潤滑油を毛細管現象により吸い上げて塗布部材３３に供給するシート状の吸上げ部材３４と、この吸上げ部材３４から塗布部材３３に対する給油量を調節する給油量調節機構とを備える。
【００１８】
ケース３２は、乗かご用ガイドレール５が挿入される凹部３２ｃを備える。この凹部３２ｃの周囲であって、潤滑油３１よりも高く位置するケース本体３２ａの個所には、塗布部材３３が配置される載置部３２ｄが設けられている。
【００１９】
塗布部材３３は、潤滑油３１に対する含浸性を有する繊維製部材、例えばフェルト製部材であり、載置部３２ｄ上に位置した状態において、ケース３２の凹部３２ｃ内に突出して位置する。凹部３２ｃ内に位置する塗布部材３３の個所には、乗かご用ガイドレール５が挿入される溝３３ａが設けられている。塗布部材３３は、その溝３３ａの内壁面で乗かご用ガイドレール５に接触し潤滑油３１を塗布する。
【００２０】
吸上げ部材３４は、ケース３２の載置部３２ｄ上で塗布部材３３と重なり合っているとともに、載置部３２ｄからケース３２の底面に垂れ下がっている。吸上げ部材３４は載置部３２ｄ上で塗布部材３３と重なり合っているので、ケース３２内の潤滑油３１を吸上げ部材３４が毛細管現象により吸い上げると、塗布部材３３に潤滑油が供給されることになる。
【００２１】
給油量調節機構は、吸上げ部材３４の一端を含み、塗布部材３３側から垂れ下がった複数の（例えば８本）の垂下部３４ａ１〜３４ａ８と、一端をケース本体３２ａに当接させ、他端を８本の垂下部３４ａ１〜３４ａ８のうちの一部、例えば垂下部３４ａ１，３４ａ２，３４ａ７，３４ａ８に当接させて位置する細長い板状のバイメタル部材４１〜４４とを備える。
【００２２】
バイメタル部材４１〜４４のそれぞれは、予め設定された温度以上の状態において一部の垂下部３４ａ１，３４ａ２，３４ａ７，３４ａ８のそれぞれを、潤滑油３１の上方に持ち上げる形状（図５，図６に示す）を成し、予め設定された温度よりも低い状態において一部の垂下部３４ａ１，３４ａ２，３４ａ７，３４ａ８のそれぞれが重力により潤滑油に浸る位置に移動することを許容する形状（図３，図４に示す）を成す。予め設定された温度は、夏季に垂下部３４ａ１，３４ａ２，３４ａ７，３４ａ８を潤滑油３１の上方に持ち上げ、冬季に垂下部３４ａ１，３４ａ２，３４ａ７，３４ａ８を潤滑油３１に浸らせることを意図して設定されたものである。また、予め設定された温度は、バイメタル部材４１〜４４の全てに関し同じに設定されたものである。
【００２３】
このように構成された本実施形態に係るエレベータのガイドレール用給油装置３０は、次の効果を奏する。
【００２４】
本実施形態に係るエレベータのガイドレール用給油装置３０は、吸上げ部材３４の一部の垂下部３４ａ１，３４ａ２，３４ａ７，３４ａ８をバイメタル部材４１〜４４により潤滑油３１の上方に持ち上げ、潤滑油３１の上方に持ち上げられた一部の垂下部３４ａ１，３４ａ２，３４ａ７，３４ａ８を重力を利用して潤滑油３１に浸る状態に戻す。これにより、本実施形態に係るエレベータのガイドレール用給油装置３０は、吸上げ部材３４に復元不能な過度な変形を強いることなく、乗かご用ガイドレール５及びカウンタウェイト用ガイドレール６に対する給油量を調節することができ、この結果、乗かご用ガイドレール５及びカウンタウェイト用ガイドレール６に対する給油量の調節の精度の持続性を向上させることができる。
【００２５】
なお、前述の実施形態に係るエレベータのガイドレール用給油装置３０は、互いに同じ温度で変形するバイメタル部材４１〜４４を備えるもの、すなわち、１種類のバイメタル部材を備えるものであるが、本発明はこれに限定されるものではなく、互いに異なる温度で変形する複数種類のバイメタル部材を備え、一部の垂下部３４ａ１，３４ａ２，３４ａ７，３４ａ８のそれぞれが、それらの複数種類のバイメタル部材のいずれか１種類によって持ち上げられる、という構成であってもよい。この構成のエレベータのガイドレール用給油装置は、前述の実施形態に係るガイドレール用給油装置３０よりも給油量の調節を細かく行うことができる。
【００２６】
前述の実施形態に係るエレベータのガイドレール用給油装置３０は細長い板状のバイメタル部材４１〜４４を備えるものであるが、本発明においてバイメタル部材は垂下部を潤滑油３１の上方に持ち上げることができるものであれば形状は限定されず、板状以外の形状、例えばコイル状、渦巻き状であってもよい。
【符号の説明】
【００２７】
１  エレベータ
２  昇降路
３  ワイヤーロープ
４  巻上機
５  乗かご用ガイドレール
６  カウンタウェイト用ガイドレール
１０  乗かご
１１，１２  乗かご用ガイドシュー
２０  カウンタウェイト
２１，２２  カウンタウェイト用ガイドシュー
３０  ガイドレール用給油装置
３１  潤滑油
３２  ケース
３２ａ  ケース本体
３２ｂ  蓋
３２ｃ  凹部
３２ｄ  載置部
３３  塗布部材
３３ａ  溝
３４  吸上げ部材
３４ａ１〜３４ａ８  垂下部（給油量調節機構）
４１〜４４  バイメタル部材（給油量調節機構）
【図１】
2015189526.tif 000003
【図２】
2015189526.tif 000004
【図３】
2015189526.tif 000005
【図４】
2015189526.tif 000006
【図５】
2015189526.tif 000007
【図６】
2015189526.tif 000008